(57)【要約】【課題】  組み立てやメンテナンスが容易な玉払出装置を提供する。【解決手段】  供給された玉を一時的に貯留する貯留タンク１０と、貯留タンク１０から流下する玉を整列する整列部２０と、整列部２０から流下する玉を遊技者に所定数だけ払い出す玉払出部３０とを有する玉払出装置１００において、整列部２０及び玉払出部３０を流下する玉の通路の側壁の一方を、玉払出装置１００の外壁で構成する。【選択図】      図３
2006271526.tif 000002
【特許請求の範囲】
【請求項１】
供給された玉を一時的に貯留する貯留タンクと、
前記貯留タンクから流下する玉を整列する整列部と、
前記整列部から流下する玉を遊技者に所定数だけ払い出す玉払出部とを有し、
前記整列部及び前記玉払出部を流下する玉の通路の側壁の一方は、玉払出装置の外壁で構成することを特徴とする玉払出装置。
【請求項２】
前記外壁を、該外壁の外部より前記通路を視認可能な透明部材で構成する請求項１に記載の玉払出装置。
【請求項３】
前記整列部又は前記玉払出部の前記通路は、異物を排除するための異物排除孔を備える
請求項１又は２に記載の玉払出装置。
【請求項４】
前記異物排除孔を、前記通路と、該通路を通過する玉との接触点を前記外壁の外側から視認可能なように構成する請求項３に記載の玉払出装置。
【請求項５】
請求項１〜４の何れか一項に記載の玉払出装置を備える遊技機であって、
前記玉払出装置は、前記整列部及び前記玉払出部を流下する玉の通路の側壁を構成する外壁が、当該遊技機への取り付け面側の外壁でないことを特徴とする遊技機。
【発明の詳細な説明】
【技術分野】
【０００１】
本発明は、例えばパチンコ遊技機（以下、パチンコ機と称する）の入賞玉の払い出しや貸玉装置における貸玉の払い出しに用いられる玉払出装置に関し、さらに詳しくは、組み立て性、メンテナンス性を向上させた玉払出装置に関する。
【背景技術】
【０００２】
一般に、パチンコ機は、遊技媒体であるパチンコ玉（以下、単に玉と称する）をパチンコ機の背面側から前面側に賞玉又は貸玉を払い出している。賞玉や貸玉の払出のために、パチンコ機は玉払出装置を備えている。玉払出装置はパチンコ機の背面に設置され、多数個の玉を貯留する貯留タンクに貯留された玉を下方に払い出すように構成されている。この玉の払い出し時に、貯留タンクから流下する玉を整列する玉整列部を介して玉払出装置へ導き、玉払い出し指令された所定の玉数を玉払出装置で計数して払い出す。そして、玉はパチンコ機の前面下部に位置する上皿又は下皿に払い出される。
【０００３】
またパチンコ機において、近年、パチンコ機の裏面中央部に配置される液晶表示装置の占める割合が高くなり、その周辺に配置される貯留タンク、玉整列部、及び玉払出装置等の一層の小型化が望まれている。
【０００４】
このような小型化の要求に対し、貯留タンク、玉整列部、及び玉払出機構を一体に構成し、貯留タンクから玉払出機構までの玉の流路を同一傾斜面で構成した玉払出装置が開発されている（特許文献１参照）。
【０００５】
しかし、こうした玉を貯留する機能や整列する機能をもった一体構成の玉払出装置では、玉払出装置内で玉詰まりが発生した場合、玉詰まりの発生箇所を外部から知ることができず、その玉詰まりを解消するために、玉払出機構部の部品をユニット化して取り外し可能な構成とする必要があった。そのため、玉払出機構を構成する部品点数が増大することが避けられなかった。
また、玉払出機構の部品をユニット化するため、装置全体の構造が複雑になり組み立て工数が増え、組み立て作業に時間を要していた。
【０００６】
さらに、メンテナンス時においても、整列部や玉払出機構がパチンコ機の裏面方向側に開放されていないためこの方向から作業ができず、整列通路の状況確認や部品交換等を行う際に、玉払出装置自体をパチンコ機から取り外して作業を行う必要があった。
【０００７】
そこで、組み立てが容易であり、また部品交換や玉詰まりの解消といったメンテナンス作業の容易な玉払出装置の開発が望まれている。
【０００８】
【特許文献１】特開２００４−２３６６９６号公報
【発明の開示】
【発明が解決しようとする課題】
【０００９】
上記の問題点に鑑み、本発明は、組み立てが容易な玉払出装置を提供することを目的とする。
【００１０】
また本発明の別の目的として、部品交換や玉詰まりの解消といったメンテナンス作業が容易な玉払出装置を提供することを目的とする。
【課題を解決するための手段】
【００１１】
上記の目的を達成するために、本発明に係る玉払出装置は、供給された玉を一時的に貯留する貯留タンクと、貯留タンクから流下する玉を整列する整列部と、整列部から流下する玉を遊技者に所定数だけ払い出す玉払出部とを有し、整列部及び玉払出部を流下する玉の通路の側壁の一方を、玉払出装置の外壁で構成することを特徴とする。
【００１２】
ここで、通路の側壁の一方を玉払出装置の外壁で構成するとは、その側壁を構成する外壁部分を取り外した場合に、通路が露出するように構成することを言う。
【００１３】
なお、通路の側壁を構成する外壁を、その外壁の外部より通路を視認可能な透明部材で構成することが好ましい。
【００１４】
また、整列部又は玉払出部の玉が流下する通路は、異物を排除するための異物排除孔を備えることが好ましい。
【００１５】
さらにその異物排除孔を、通路と、その通路を通過する玉との接触点を外壁の外部より視認可能なように形成することが好ましい。
【００１６】
また本発明に係る遊技機は、上述の何れかの玉払出装置を備え、玉払出装置は、整列部及び玉払出部を流下する玉の通路の側壁を構成する外壁が、遊技機への取り付け面側の外壁でないことを特徴とする。
【発明の効果】
【００１７】
本発明によれば、組み立てが容易な玉払出装置を提供することが可能となる。
【００１８】
また、部品交換や玉詰まりの解消といったメンテナンス作業が容易な玉払出装置を提供することが可能となる。
【発明を実施するための最良の形態】
【００１９】
以下、図面を参照しつつ本発明に係る玉払出装置について詳細に説明する。
【００２０】
図１に、本発明に係る玉払出装置１００を備えたパチンコ機２００の遊技台盤面２１０の裏面図を示す。
【００２１】
玉払出装置１００は、遊技台盤面２１０の裏側の上部に配設され、その下側中央部に大型の表示装置や制御部等を備えた基板部２２０が配設されている。さらに、玉払出装置１００の貯留タンク１０の上面開口部と対向する上方には図示しない補給シュートが対設され、この補給シュートを介して玉払出装置に上方から玉が補給されるように構成されている。また、玉払出装置１００の下方には、玉降下通路２３０が接続され、この玉降下通路２３０を通じて玉は遊技台の前面下部に位置する受皿（上皿または下皿）へと払い出される。
【００２２】
また図２に、本発明に係る玉払出装置１００を備えたパチンコ機２００の側面断面図を示す。図２に示すように、玉払出装置１００には、玉降下通路２３０との接続部近傍において、遊技台盤面２１０との接触面に切り欠き部１１０が形成されており、大型の表示装置等の基板部２２０が遊技台盤面２１０の裏面に配設されていても、干渉することなく玉払出装置１００を配設可能としている。
【００２３】
次に、本発明に係る玉払出装置１００の詳細を説明する。
【００２４】
図３に、本発明に係る玉払出装置１００の概略構成図を示す。
【００２５】
また図４及び図５に、玉払出装置１００を部品毎に展開した図を示す。一方、図６に玉払出装置１００を遊技台盤面裏面方向から表面方向へ見たときの概略断面図を示し、図７に玉払出装置１００の上面から見たときの概略図を示す。
【００２６】
図３に示すように、本発明に係る玉払出装置１００は、図示しない補給シュートから補給された玉を貯留する貯留タンク１０と、貯留タンク１０から流下する玉を一列に整列する整列部２０と、整列された玉を所定個数払い出す玉払出部３０と、玉払い出し時と玉抜き時とで、玉が流下する通路を切り替えるための通路切替部４０とを備えており、パチンコ機の遊技台盤面への取り付け面の反対側の側壁を構成する側面カバー１とその他の外壁部を構成するケーシング２で一体に構成されている。さらに、パチンコ機の制御基板の信号線等が接続される外部端子基板５０がケーシング２に取り付けられている。なお、貯留タンク１０から整列部２０を経て、玉払出通路３７と玉抜き通路３８に分岐するまでの玉通路を玉供給通路と呼ぶ。
【００２７】
また、側面カバー１は透明な部材、例えばアクリル等の透明プラスチック樹脂で形成され、玉払出装置１００内にある玉の貯留状態、払出時または玉抜き時の玉の流下の様子を観察可能に構成されている。
【００２８】
図３、図７に示すように、貯留タンク１０は、上面が開放された箱型の形状を有する。また、貯留タンク１０に対して、この上面開放部分を通じて図示しない上方の補給シュートから玉が補給され、貯留タンク１０は内部に多数個の玉を貯留することが可能となっている。さらに、貯留タンク１０内部の側壁の一部には、静電気除去用の金属製静電気除去板１１が備え付けられている。
【００２９】
また貯留タンク１０は、タンク内に貯蔵された玉を自重により転動させて下流側の整列部２０へと導くように構成されている。そのため、上流側の貯留タンク１０内のタンク底部から下流側の玉払出部３０へと通じ、玉の通路となる底面は、同一方向に緩やかに傾斜する長い同一傾斜通路を形成している。この同一傾斜通路は、貯留タンク１０、後述する整列通路２１、玉払出部３０の順に玉を転動させて通過させる各通路の底面を、同一傾斜方向に緩やかな傾斜角度、例えば水平面に対して３°〜２０°といった傾斜角に設定して接続した通路である。このため、玉が自重により上流側から下流側へと緩やかに転動する。
【００３０】
また、図７に示すように、貯留タンク１０の整列部２０側の先端部では、整列部２０の整列通路２１に近づくにつれて、玉の流路となる部分の側壁間の間隔が徐々に狭くなるように構成され、貯留タンク１０内に貯留されている玉を一列に整列させて流下するようになっている。本実施形態においては、側面カバー１が玉の流路の側壁の一方を構成し、反対側の遊技台盤面の裏面側に近接した側壁が、下流側へ向かうにつれて側面カバー１に近づくように構成され、整列通路２１に接続される。
【００３１】
このように構成することで、貯留タンク１０の容積を確保しつつ、貯留タンク１０の遊技台盤面裏面に近接する側の容積を減ずることが可能となり、玉払出装置１００を小型化することができる。また、側面カバー１を通じて玉の流路を観察することが可能となり、玉詰まりといった異常が発生した場合にその原因を確認することが容易となる。
【００３２】
さらに、側面カバー１を取り外すことにより、玉が流下する通路を露出させることが可能なため、玉払出装置の各部の部品を取り外すことなく、玉詰まりを解消させることが可能であり、メンテナンスが容易となる。同様に、玉払出装置自体をパチンコ機から取り外す必要もない。また、部品毎の取り外しのためのユニット化を考慮する必要がなくなり、部品点数を少なく抑えることが可能となる。さらに、部品の取り外しを考慮しなくてよいため、各部品を固定的に取り付けることが可能となり、各部品間の位置調整を考慮する必要性が減少し、組み立てが容易となる。
【００３３】
整列部２０は、整列通路２１、天板２２、及び楕円ローラ２３を備える。
【００３４】
整列通路２１は、玉を上流側から下流側に円滑に通過させるために、貯留タンク１０と玉払出部３０の中間に位置する。この整列通路２１は、玉が１列となって流下する通路であり、貯留タンク１０の先端部を延設したものである。
【００３５】
また、図７に示すように、整列通路２１の遊技台盤面側の側壁には、貯留された玉による圧力（玉圧）を上流側（貯留タンク１０側）で受け止めて減圧させるために、整列通路２１での玉の流路方向に対してなす角を大きくとった急絞り傾斜面２６が貯留タンク１０と整列部２０との連結部近傍に形成される。この急絞り傾斜面２６は、整列通路２１での玉の流路方向となす角の最大値が約３０°〜約６０°程度であり、貯留タンク１０の内壁と連続的に形成される。一方、側面カバー１側の側壁には、整列通路２１での玉の流路方向に対してなす角度を小さくした緩絞り傾斜面２７が貯留タンク１０と整列部２０の連結部近傍に形成される。この緩絞り傾斜面２７は、整列通路２１での玉の流路方向となす角の最大値が約２°〜約２０°程度であり、貯留タンク１０の側壁と連続的に形成される。これらの両傾斜面２６、２７の傾斜方向を異ならせることによって、タンク内での玉の流下方向を集中させず、分散させながら下流側に流下させることができる。これによって、整列通路２１に玉圧が直接加わることを防止している。
【００３６】
さらに、整列通路２１部分の側面カバーには、異物排除孔２５を設けることが好ましい。異物排除孔２５を設けることにより、異物等が整列通路２１に紛れ込むことによって玉詰まりを生じた場合等に、その異物を異物排除孔２５から取り出すことが可能となる。
【００３７】
図８及び図９に、本実施形態に係る異物排除孔２５の構造を示す。
【００３８】
図８及び図９に示されるように、異物排除孔２５は、整列通路２１の底面部に近接して配置される。特に、整列通路２１の底面部と、整列通路２１を流下中の玉との接触点を、側面カバー２の外部より視認できるように異物排除孔２５を設けることが好ましい。異物等は整列通路２１の底面側に付着する可能性が高い。そこで本実施形態のように、側面カバー２の外側より、細長い棒状の治具等を用いて整列通路２１の底面部に接触可能なことが好ましいためである。また、整列通路２１を通過する玉が異物排除孔２５から落下することがないよう、異物排除孔２５の高さは玉の直径よりも小さい。一方、異物の除去等を容易に行えるようにするため、孔の高さは玉の直径の１／４よりも大きいことが好ましい。さらに、異物排除孔２５は、整列通路２１に沿って玉数個分、例えば２個〜１０個分の長さを有することが、異物等の除去を容易にするため好ましい。なお、異物排除孔２５は、１個に限らず、複数個設けてもよく、整列通路２１の側面だけに限らず、貯留タンク１０の側面や、玉払出部３０の側面に設けてもよい。さらに、異物排除孔２５に、異物排除孔自体から異物が混入することを防ぐために、開閉可能なカバーを設けてもよい。
【００３９】
また、整列部２０は、整列通路２１の上方に天板２２を有する。
【００４０】
図３及び図６に示すように、天板２２は、貯留タンク１０の下流側上部に位置し、貯留タンク１０の下流側部分において整列通路２１の上面を覆うように構成されている。この天板２２の上流側端部に、貯留タンク１０の上部開口面と略直交する部材である受け止め片２４を備える。受け止め片２４は、貯留タンク１０内の玉が整列部に極度に集中することを防止するため、貯留タンク１０の側壁間の距離がその最大値の約７割〜３割程度となる位置に設けることが好ましい。また受け止め片２４は、その受け止め片２４の位置での貯留タンク１０の側壁間とほぼ同程度の水平方向長さを有し、また高さ方向に玉２〜３個分の長さを有し、貯留タンク１０の上部開口面近傍に受け止め片２４の上端が位置するように設置される。
【００４１】
この天板２２及び受け止め片２４は、貯留タンク１０から重なって移動する玉の上層部を受け止め、山積み状態にある玉の上層部の移動を阻止する。このため、下層部の玉だけを流下させることが可能となり、玉数を十分に減らして下流側に少量ずつ供給することができる。したがって、下流側への玉圧を一層軽減できることになり、貯留タンク１０から１列の通路に絞り込まれる整列通路２１への玉の供給に適した円滑な流れを確保している。
【００４２】
さらに、整列部２０は、整列通路２１の下流端近傍、整列通路２１の上方に楕円形ローラ２３を備えている。図６に示すように、楕円形ローラ２３は、楕円形の如く中心からの外縁部までの距離が、長手方向と短手方向とで差異を有する円柱状の形状を有し、その中心で、玉が流下する方向と略直交する方向を向いた回転軸によって支えられている。また、楕円形ローラ２３の外周部の長手方向には、玉がより密着し易いように円弧状の凹部が形成されている。
【００４３】
楕円形ローラ２３は、駆動モータからギアを通じて動力の供給を受け、玉の流下方向（図４においては、反時計周り）に回転することによって、玉が貯留タンクから下流側の整列通路２１を通じて玉払出部３０へと流下する際の玉の重なりを崩し、玉圧によって玉払出部３０に過負荷が生じないようにする。このように、楕円形ローラ２３を設けることにより、玉の受け渡しに適した流下ガイド作用を得ることができる。
【００４４】
玉払出部３０は、待機状態の玉の有無を検出する玉有無検知センサ３１と、待機された玉を１個ずつ送出する回転部材であるスプロケット３２と、払出信号に基づいてスプロケット３２を駆動する駆動モータ３３と、送出された玉を計数する玉計数センサ３４と、回転位置検知センサ３５とを備え、これらを内蔵する側面カバー１及びケーシング２により構成される。
【００４５】
また、玉払出部３０には、整列通路２１より流下した玉を略垂直に落下させる玉流下通路３６、パチンコ台前面の受皿に玉を供給するための玉払出通路３７、及び玉抜き操作時に玉払出装置１００内に溜まっている玉を取り出すための玉抜き通路３８を備え、これらの通路もまた上述した側面カバー１及びケーシング２によって構成されている。
【００４６】
図６に示すように、上述のスプロケット３２は、筒状体を有し、玉の流路と直交する方向に設けられた回転軸によって回転可能なように支えられる。この筒状体の外周面の軸方向には、玉を１個ずつ区切って回転送りするための送り爪が周方向に等分して形成され、玉流下通路３６の下流側に配設されている。
【００４７】
玉流下通路３６は、玉が流下可能なように、貯留タンク１０、整列通路２１と、その底面が滑らかに連続するように配設される。また、玉流下通路３６は、略垂直方向に玉３個分の長さを有している。このように、略垂直な流路を設けることにより、スプロケット３２に到達する前に、玉が自重によって垂直落下することで速度が増し、各通路内で玉が詰まる危険性を減少させることが可能である。そのため、玉流下通路３６の長さは、これに限られるものではなく、もっと長くてもよい。ただし、玉流下通路３６をあまりに長くすると、スプロケット３２や通路切替部４０が、貯留タンク１０や整列部２０と離れるために、側面カバー１やケーシング２が大きくなってしまう。また、玉の速度増加に伴ってスプロケット３２の回転速度も速くなるため、スプロケット３２の回転位置を正確に検知することが困難となる。そこで、玉流下通路３６は、略垂直方向に玉２個〜１０個分程度の長さであることが好ましい。
【００４８】
また、玉払出通路３７及び玉抜き通路３８は、玉流下通路３６の下方に位置し、ケーシング２の一部によって構成される隔壁３９を挟んで並列に配設される。そして、玉払出通路３７の下端開口部を玉払出口、玉抜き通路３８の下端開口部を玉抜き口としている。
【００４９】
また図５に示されるように、ケーシング２の外側には、駆動モータ３３の主軸に連結された駆動ギアから従動ギアＡ、従動ギアＢを介してスプロケット３２に動力を伝達する従動ギアＣが配設されている。また、駆動モータ３３の主軸に連結された駆動ギアから従動ギアＤにも動力伝達され、ケーシング２を挟む対向する位置では楕円形ローラ２３と連結し、これにより駆動モータが回転すると上記の楕円形ローラ２３は回転される。
【００５０】
従動ギアＣには、環状方向に等分して切り欠き形成されたスプロケット回転位置検知用のスリットを有したエンコーダとケーシング２を挟んでスプロケット３２の回転軸を連結し、これにより駆動モータ３３が回転するとスプロケット３２も回転される。
【００５１】
エンコーダスリットと対応する位置には、スプロケット３２の回転位置を検知するための回転位置検知センサ３５が配設される。
【００５２】
整列通路２１と玉流下通路３６との間には近接センサを用いた玉有無検知センサ３１をケーシング２の外側に配設し、整列通路２１上に玉が有るか否かを検知する。さらに、玉払出通路３７の下端部で開口する玉払出口には、近接センサを用いた玉計数センサ３４を配設し、玉払出通路３７を通過して玉が払い出されたとき、この玉計数センサ３４が払い出された玉を検知して計数するように構成されている。
【００５３】
通路切替部４０は、玉流下通路３６の下流側、玉の通路としてはスプロケット３２の直前に位置し、通路切替ブロック４１と通路切替レバー４２とで構成される。
【００５４】
図１０に、通路切替ブロック４１の概略構成図を示す。図３又は図４に示すように、通路切替ブロック４１は、突部４３を有し、その突部４３は側面カバー１を貫通して嵌合されている。また、図１０に示すように、通路切替ブロック４１の側面には先端が半円弧状で弾性体のアームである弾性体アーム４４を有しており、玉抜き通路３８の近傍に形成している上下２つの凹部のどちらか一方に対応して嵌合されるように構成されている。なお、この弾性体としては、プラスチックのような樹脂材料を用いることができる。
【００５５】
図１１に通路切替部４０の動作を示す。
【００５６】
図１１（ａ）のように、手動で通路切替ブロック４１の突部４３を下方へ移動する。この時、通路切替ブロック４１の弾性体アーム４４がケーシング２のＡ部の側面に接触し、押されることによって内側へ曲がる方向に変形し、ケーシング２が有する下側の凹部に嵌合して元に戻り、通路切替ブロック４１はその位置に固定される。
【００５７】
また、通路切替ブロック４１が下方へ移動することによって、通路切替レバー４２は通路切替ブロック４１のＢ部と接触し、押されることによって、反時計方向に回転する。その回転の結果、通路切替レバー４２は、玉抜き通路３８の開口部を塞ぎ、玉払出通路３７への通路の一部を形成する。そして、玉の通路が玉払出通路３７へ連結する一本の通路となる。この場合、玉流下通路３６より流下してきた玉は、スプロケット３２へ誘導され、スプロケット３２を経て玉払出通路３７へ流下する。
【００５８】
逆に、図１１（ｂ）に示すように、通路切替ブロック４１の突部４３を手動にて上方へ移動させると、通路切替ブロック４１の弾性体アーム４４がケーシング２のＡ部の側面に接触して押されることにより内側へ曲がる方向に変形し、ケーシング２が有する上側の凹部に嵌合して元に戻り、通路切替ブロック４１はその位置に固定される。
【００５９】
通路切替ブロック４１が上方へ移動すると、通路切替レバー４２は通路切替ブロック４１のＢ部との接触がなくなるため、通路切替レバー４２は通路切替ブロック４１のＢ部に接触するまで時計方向に回動移動することが可能となる。
【００６０】
したがって、通路切替レバー４２は、その自重、若しくは玉流下通路３６を経て流下してくる玉の重量によって時計方向に回動し、玉払出通路３７への通路の底面がなくなるとともに玉抜き通路３８への通路が開かれる。そのため、玉抜き操作時において、玉は玉抜き通路３８へとほぼ垂直に流下し、玉払出通路３６へ玉が流れることなく、また玉詰まりを生じる可能性を大幅に減ずることができる。
【００６１】
また、玉抜き操作時において、隔壁３９の上端と玉流下通路３６のスプロケット３２側の壁の下端との略中央にスプロケット３２の送り爪の先端が位置するように、スプロケット３２を停止させてもよい。このようにスプロケット３２を停止することにより、スプロケット３２の送り爪の先端に、玉払出通路３７へ玉が流れないようガイドの役割を持たせることが可能となり、誤って玉払出通路３７へと流下する玉をさらに減ずることができる。
【００６２】
さらに、通路切替レバー４２に、マイクロスイッチを設け、玉通路の切替状態を確認することによって、玉払い出し時に誤って玉の流下通路を玉抜き通路３８に切り替えることを防止するよう監視可能としてもよい。
【００６３】
以上のように構成することによって、通路切替ブロック４１の突部４３を手動で上下に移動させるだけで、通路が切り替わり、電力を供給する必要もなく簡便に玉抜き操作を行うことが可能である。また玉抜き操作時においては、玉抜き通路内に障害となるものが存在せず、故に玉が内部で詰まる可能性を大幅に減じ、玉払出装置１００内に貯留された玉全てを回収することができる。
【００６４】
以下に、本発明に係る玉払出装置１００の動作を説明する。
【００６５】
図１２に、遊技台の盤面裏側の上部に設置された玉払出装置１００の貯留タンク１０には、多数個の玉が状態で貯留されている状態を示す。また図１３に、玉払出装置１００より玉が払い出される様子を示す。
【００６６】
この待機状態から、パチンコ機の全体を制御するメイン制御部から玉の払い出し信号が入力され、駆動モータ３３が駆動されると、この駆動に基づいて上流側の貯留タンク１０では、玉が自重により下流側へと導かれる。
【００６７】
この貯留タンク１０の下流側にあっては、天板２２の受け止め片２４によって貯留タンク１０内の上層部の玉が受け止められて、その移動が制限される一方、下層部の玉は整列部２０へと一列に整列されながら流下する。この整列部２０で不規則な積層状態の玉が順に玉１個の高さに整列される。
【００６８】
この１個高さに整列する整列動作を以下に示す。
【００６９】
楕円ローラ２３は、積層状態で流下してきた玉を受け止める。このとき、楕円ローラ２３による玉の積層崩し位置は、通路底面から２個目の高さに位置する玉と対応し、この高さ位置よりも高く積層された玉の通過を制限する。
【００７０】
このとき、楕円ローラ２３の外周面は、玉との接触面積を広くとれる円弧面を有しており、楕円ローラ２３と玉との接触面間は滑りのない接触作用が得られる。このため、２個重なり高さ位置から１個高さの位置に至るまでの楕円ローラ２３が回転する上下間において、長く接して玉を１個高さに落とし込むように玉崩しガイドする。
【００７１】
このため、積層状態の玉は楕円ローラ２３の回転力を受けて個別に玉が崩され、整列されて流下する。
【００７２】
その後、下流側の玉払出部３０へと玉は導かれる。この玉払出部３０では、供給された玉をスプロケット３２の正転送り動作により、玉払出通路３７へ回転送りされ、その玉は玉払出口より連続的に降下して定められた玉数が図１３のように払い出される。そして、玉は遊技台前面側の受皿へと払い出される。
【００７３】
なお、上述してきた実施形態は、本発明を説明するためのものであり、本発明は、これらの実施形態に限定されるものではない。本発明の範囲内で、実装するパチンコ機の構成に合わせて最適化することが可能である。
【図面の簡単な説明】
【００７４】
【図１】本発明に係る、玉払出装置を備えたパチンコ機の遊技台盤面の裏面図である。
【図２】本発明に係る玉払出装置を備えたパチンコ機の側面断面図である。
【図３】本発明に係る玉払出装置の概略構成図である。
【図４】本発明に係る玉払出装置を部品毎に展開した斜視図である。
【図５】本発明に係る玉払出装置を部品毎に展開した斜視図である。
【図６】本発明に係る玉払出装置を遊技台盤面裏面方向から表面方向へ見たときの概略断面図である。
【図７】本発明に係る玉払出装置の上面から見たときの概略図である。
【図８】本発明に係る玉払出装置の異物排除孔の構造図である。
【図９】本発明に係る玉払出装置の異物排除孔の構造図である。
【図１０】本発明に係る玉払出装置の通路切替ブロックの概略構成図である。
【図１１】本発明に係る玉払出装置の通路切替部４０の動作説明図である。
【図１２】本発明に係る玉払出装置の貯留タンクに、多数個の玉が状態で貯留されている状態を示す図である。
【図１３】本発明に係る玉払出装置より玉が払い出される様子を示す図である。
【符号の説明】
【００７５】
１００    玉払出装置
１０    貯留タンク
２０    整列部
２１    整列通路
２５    異物排除孔
３０    玉払出部
３２    スプロケット
３６    玉流下通路
３７    玉払出通路
３８    玉抜き通路
４０    通路切替部
４１    通路切替ブロック
４２    通路切替レバー
【図１】
2006271526.tif 000003
【図２】
2006271526.tif 000004
【図３】
2006271526.tif 000005
【図４】
2006271526.tif 000006
【図５】
2006271526.tif 000007
【図６】
2006271526.tif 000008
【図７】
2006271526.tif 000009
【図８】
2006271526.tif 000010
【図９】
2006271526.tif 000011
【図１０】
2006271526.tif 000012
【図１１】
2006271526.tif 000013
【図１２】
2006271526.tif 000014
【図１３】
2006271526.tif 000015